【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
治療システムであって、
組織部位の上に配置されるように構成された視覚化センサであって、前記組織部位のビデオデータを収集するように構成された視覚化センサと、
警報を提供するように構成された出力と、
前記視覚化センサと前記出力の両方と通信するコントローラであって、
前記ビデオデータをオイラービデオ倍率で増幅するように、
前記増幅されたビデオデータからの治療パラメータであって前記組織部位への血流を示す色及び／または動きにおける変化に由来する治療パラメータを決定するように、
前記治療パラメータが閾値と異なると判定することに応答して出力に警報を提供させるように、構成されたコントローラと、を備える治療システム。
【請求項２】
前記閾値は、圧迫損傷の発生確率に対応する、請求項１に記載の治療システム。
【請求項３】
コントローラがスマートフォン内に含まれている、請求項１〜２のいずれか一項に記載の治療システム。
【請求項４】
前記視覚化センサが、前記コントローラと無線通信するように構成される、請求項１〜３のいずれか一項に記載の治療システム。
【請求項５】
前記コントローラが、前記出力と無線通信するように構成される、請求項１〜４のいずれか一項に記載の治療システム。
【請求項６】
前記コントローラが、前記治療パラメータを複数の閾値と比較するように構成される、請求項１〜５のいずれか一項に記載の治療システム。
【請求項７】
前記視覚化センサが、ＲＧＢ検出器を備える、請求項１〜６のいずれか一項に記載の治療システム。
【請求項８】
前記警報が、可聴警報を備える、請求項１〜７のいずれか一項に記載の治療システム。
【請求項９】
前記警報が、視覚警報を備える、請求項１〜８のいずれか一項に記載の治療システム。
【請求項１０】
前記コントローラが、二つ以上のビデオデータのフレーム間の赤値の変化を計算することによって、前記治療パラメータを決定するように構成される、請求項１〜９のいずれか一項に記載の治療システム。
【請求項１１】
視覚化センサおよびコントローラを備える治療システムを操作する方法であって、
組織部位の上に位置付けられた前記視覚化センサによって、前記組織部位のビデオデータを収集するステップと、
コントローラによって、
前記ビデオデータをオイラービデオ倍率で増幅するステップと、
前記増幅されたビデオデータからの治療パラメータであって前記組織部位への血流を示す色及び／または動きにおける変化に由来する治療パラメータを決定するステップと、
前記治療パラメータが閾値と異なると判定することに応答して警報を提供させるステップと、を含む、方法。
【請求項１２】
視覚化センサおよびコントローラを備える治療システムを操作する方法であって、
組織部位の上に位置付けられた前記視覚化センサによって、前記組織部位のビデオデータを収集するステップと、
コントローラによって、
前記ビデオデータをオイラービデオ倍率で増幅するステップと、
前記増幅されたビデオデータから赤デルタ値を決定するステップと、
前記赤デルタ値が前記組織部位内の血管の存在を示す場合に、警報を提供させることと、を含む、方法。
【手続補正２】
【補正対象書類名】明細書
【補正対象項目名】０２６５
【補正方法】変更
【補正の内容】
【０２６５】
本開示に記載する実装に対する様々な変形は、当業者には容易に明らかとなってもよく、本明細書に定義する全体的な原理は、本開示の精神または範囲を逸脱することなく、他の実装に適用されてもよい。それゆえ、開示は、本明細書に示す実装に限定することは意図していないが、本明細書に記載する原理および特徴と一致する、最も広い範囲が与えられるべきである。開示の特定の実施形態は、以下に列挙する、または後に提示する請求項の組に網羅される。
［付記項１］
治療システムであって、
組織部位の上に配置されるように構成された視覚化センサであって、前記組織部位のビデオデータを収集するように構成された視覚化センサと、
警報を提供するように構成された出力と、
前記視覚化センサと前記出力の両方と通信するコントローラであって、
前記ビデオデータをオイラービデオ倍率で増幅するように、
前記増幅されたビデオデータからの治療パラメータを決定するように、
前記治療パラメータが閾値と異なると判定することに応答して出力に警報を提供させるように、構成されたコントローラと、を備える治療システム。
［付記項２］
前記閾値は、圧迫損傷の発生確率に対応する、付記項１に記載の治療システム。
［付記項３］
コントローラがスマートフォン内に含まれている、付記項１〜２のいずれか一項に記載の治療システム。
［付記項４］
前記視覚化センサが、前記コントローラと無線通信するように構成される、付記項１〜３のいずれか一項に記載の治療システム。
［付記項５］
前記コントローラが、前記出力と無線通信するように構成される、付記項１〜４のいずれか一項に記載の治療システム。
［付記項６］
前記コントローラが、前記治療パラメータを複数の閾値と比較するように構成される、付記項１〜５のいずれか一項に記載の治療システム。
［付記項７］
前記視覚化センサが、ＲＧＢ検出器を備える、付記項１〜６のいずれか一項に記載の治療システム。
［付記項８］
前記警報が、可聴警報を備える、付記項１〜７のいずれか一項に記載の治療システム。
［付記項９］
前記警報が、視覚警報を備える、付記項１〜８のいずれか一項に記載の治療システム。
［付記項１０］
前記コントローラが、二つ以上のビデオデータのフレーム間の赤値の変化を計算することによって、組織パラメータを決定するように構成される、付記項１〜９のいずれか一項に記載の治療システム。
［付記項１１］
切開部位を特定するためのシステムであって、
組織部位の上に配置されるように構成された視覚化センサであって、前記組織部位のビデオデータを収集するように構成された視覚化センサと、
前記視覚化センサと通信するコントローラであって、
前記ビデオデータをオイラービデオ倍率で増幅するように、
前記増幅されたビデオデータから前記組織部位内のランガー皮膚割線を識別するように、
前記組織部位の前記ビデオデータにランガー皮膚割線をマップするように、
ディスプレイ上にランガー皮膚割線を表示するように、構成されたコントローラと、を備える、システム。
［付記項１２］
切開部位警報を提供するように構成された出力をさらに備える、付記項１１に記載のシステム。
［付記項１３］
前記切開部位警報が配向および位置を含む、付記項１２に記載のシステム。
［付記項１４］
組織部位の治療をモニターするためのシステムであって、
超音波発生器であって、治療用超音波を内部組織部位に送達するように構成された超音波発生器と、
前記内部組織部位の上に配置されるように構成された視覚化センサであって、前記組織部位の磁場誘導断層撮影ビデオデータを収集するように構成された視覚化センサと、を備えるシステム。
［付記項１５］
前記磁場誘導断層撮影ビデオデータが閾値を超えた時に警報を提供するように構成された出力をさらに備える、付記項１４に記載のシステム。
［付記項１６］
視覚化センサおよびコントローラを備える治療システムを操作する方法であって、
組織部位の上に位置付けられた前記視覚化センサによって、前記組織部位のビデオデータを収集することと、
コントローラによって、
前記ビデオデータをオイラービデオ倍率で増幅することと、
前記増幅されたビデオデータからの治療パラメータを決定することと、
前記治療パラメータが閾値と異なると判定することに応答して警報を提供させることと、を含む、方法。
［付記項１７］
視覚化センサおよびコントローラを備える治療システムを操作する方法であって、
組織部位の上に位置付けられた前記視覚化センサによって、前記組織部位のビデオデータを収集することと、
コントローラによって、
前記ビデオデータをオイラービデオ倍率で増幅することと、
前記増幅されたビデオデータから赤デルタ値を決定することと、
前記赤デルタ値が前記組織部位内の血管の存在を示す場合に、警報を提供させることと、を含む、方法。